(57)【要約】【課題】  トレイの搬送時に生じる騒音を可及的に抑えた開閉扉を備えた記録再生装置を提供する。【解決手段】  記録再生装置１の筐体４に形成した開口部５から内外に往復搬送されるトレイ２１を備え、トレイ２１の先端部２２が当接されコイルスプリング１０により開口部５を閉鎖する位置に付勢された開閉扉７を押し開く背面部分に曲面状部１５を形成する。トレイ２１がコイルスプリング１０の付勢力に抗して筐体４の内側から開口部５を介して外側へと搬出される際に、トレイ２１の先端部２２が曲面状部１５に当接された状態を維持しながら開閉扉７を押し開くので、曲面状部１５と当接されるトレイ２１の先端部２２が、曲面状部１５に沿って上側からトレイ２１の底面側に移動するまでの接触音を抑え、記録再生装置１の品位向上を図ることができる。【選択図】    図３
2006244531.tif 000002
【特許請求の範囲】
【請求項１】
記録再生装置の筐体に形成した開口部から内外に往復搬送されるトレイと、前記開口部を閉鎖する回動自在に枢支した開閉扉と、この枢支した開閉扉を前記開口部を閉鎖する方向に付勢する付勢手段とを備え、前記トレイの先端が当接され前記開閉扉を押し開く開閉扉を備えた記録再生装置において、前記開閉扉を押し開く前記トレイの先端部が当接される前記開閉扉の背面部分に曲面状部を形成し、前記トレイの搬送時に前記曲面状部に沿って前記トレイの先端部が当接しながら移動することを特徴とする開閉扉を備えた記録再生装置。
【請求項２】
前記付勢された開閉扉を、前記開口部を閉鎖する位置に停止するストッパーを前記筐体に設けたことを特徴とする請求項１記載の開閉扉を備えた記録再生装置。
【請求項３】
前記開閉扉に突状の回転軸を設け、この回転軸を前記筐体に形成した凹部に着脱自在に軸支したことを特徴とする請求項１又は２記載の開閉扉を備えた記録再生装置。
【請求項４】
前記付勢手段はスプリングであることを特徴とする請求項１〜３の何れか１項に記載の開閉扉を備えた記録再生装置。
【発明の詳細な説明】
【技術分野】
【０００１】
本発明は、光ディスクなどの記録媒体を記録再生可能な記録再生装置、特に、記録再生装置の内外に搬送される際に連動して開閉する開閉扉から発生する騒音を抑えた開閉扉を備えた記録再生装置に関する。
【背景技術】
【０００２】
従来から、光ディスクなどの記録媒体を格納し記録や再生を行う装置が利用されている。こうした装置には、その前面などの開口部から内外に搬送されるトレイを備え、このトレイを格納した際に、装置内に埃などの進入を防止する開閉扉が設けられている。特許文献１には、トレイの出入されるトレイ用開口部に開閉ドアを配置し、この開閉ドアの振動騒音を緩衝材を貼着することで解消できるようにしたディスクプレーヤが開示されており、また、特許文献２には、光又は光磁気ディスク記録再生装置のディスク等を挿排出する際に、挿入排出口を開閉する蓋を備えディスク等の排出時の異音を少なくすることを目的とした蓋装置が開示されている。
【０００３】
【特許文献１】特開２００２−３３４５６６号公報
【特許文献２】実開平４−５４０９１号公報
【発明の開示】
【発明が解決しようとする課題】
【０００４】
しかし、前記特許文献１においては、スピーカーの振動により生じる振動騒音を緩衝材を貼着することで抑えることは可能であるが、緩衝材を貼着する作業が必要であり、緩衝材を備えることによる部品点数の増加によりコストが増加してしまう。また、特許文献２においては、ディスク等の排出などの作動時に部品同士が接触することで接触音が発生してしまう。
【０００５】
本発明は、前述した課題を鑑みてなされたものであり、トレイの搬送時に生じる騒音を可及的に抑えた開閉扉を備えた記録再生装置を提供することを目的とする。
【課題を解決するための手段】
【０００６】
本発明の請求項１の開閉扉を備えた記録再生装置は、記録再生装置の筐体に形成した開口部から内外に往復搬送されるトレイと、前記開口部を閉鎖する回動自在に枢支した開閉扉と、この枢支した開閉扉を前記開口部を閉鎖する方向に付勢する付勢手段とを備え、前記トレイの先端が当接され前記開閉扉を押し開く開閉扉を備えた記録再生装置において、前記開閉扉を押し開く前記トレイの先端部が当接される前記開閉扉の背面部分に曲面状部を形成し、前記トレイの搬送時に前記曲面状部に沿って前記トレイの先端部が当接しながら移動することを特徴とする。
【０００７】
請求項１の構成により、トレイが付勢手段の付勢力に抗して筐体の内側から開口部を介して外側へと搬出される際に、トレイの先端部が開閉扉の曲面状部に当接された状態を維持しながら開閉扉を押し開くので、曲面状部と当接されるトレイの先端部が、曲面状部に沿って上側からトレイの底面側に移動するまでの接触音を抑えることができる。また、トレイが筐体の外側から開口部を介して内側へと搬入する際に、開閉扉が開口部を閉鎖する直前まで、トレイの先端部が開閉扉の曲面状部に沿って接触した状態を維持しながら移動する為、開閉扉とストッパーとの接触音を抑えることができる。つまり、トレイの先端部が曲面状部に接触すると、その接触状態を維持しながら移動するので、開閉扉の開閉動作時における接触音を抑え、記録再生装置の品位向上を図ることができる。
【０００８】
本発明の請求項２の開閉扉を備えた記録再生装置は、請求項１記載の開閉扉を備えた記録再生装置において、前記付勢された開閉扉を、前記開口部を閉鎖する位置に停止するストッパーを前記筐体に設けたことを特徴とする。
【０００９】
請求項２の構成により、開口部を閉鎖する方向に付勢されている開閉扉が、筐体内に入り込もうとしても、ストッパーにより開口部を閉鎖する位置に停止することができるので、開口部からの埃の進入を防止できると共に開閉扉の開閉動作時における接触音を抑えることができる。
【００１０】
本発明の請求項３の開閉扉を備えた記録再生装置は、請求項１又は２記載の開閉扉を備えた記録再生装置において、前記開閉扉に突状の回転軸を設け、この回転軸を前記筐体に形成した凹部に着脱自在に軸支したことを特徴とする。
【００１１】
請求項３の構成により、背面に曲面状部を形成した開閉扉に交換することが可能となり、開閉扉の開閉動作時における接触音を抑えることができる。従来のように、別途接触音を抑える為に緩衝材等の比較的高価な部品を増やす必要が無く、記録再生装置のコストを安価に抑えることが可能となる。
【００１２】
本発明の請求項４の開閉扉を備えた記録再生装置は、請求項１〜３の何れか１項に記載の開閉扉を備えた記録再生装置において、前記付勢手段はコイルスプリングであることを特徴とする。
【００１３】
請求項４の構成により、コイルスプリングは金属線を螺旋状に巻いたもので安価であるから、低コストを図ることが可能となると共に、金属線の端部を引っ掛けるなどして簡単に取り付けでき、開口部を閉鎖する方向に開閉扉を付勢することが可能となる。
【発明の効果】
【００１４】
本発明の請求項１の開閉扉を備えた記録再生装置によれば、記録再生装置の筐体に形成した開口部から内外に往復搬送されるトレイと、前記開口部を閉鎖する回動自在に枢支した開閉扉と、この枢支した開閉扉を前記開口部を閉鎖する方向に付勢する付勢手段とを備え、前記トレイの先端が当接され前記開閉扉を押し開く開閉扉を備えた記録再生装置において、前記開閉扉を押し開く前記トレイの先端部が当接される前記開閉扉の背面部分に曲面状部を形成し、前記トレイの搬送時に前記曲面状部に沿って前記トレイの先端部が当接しながら移動するものであり、トレイの先端部が曲面状部に接触すると、その接触状態を維持しながら移動するので、開閉扉の開閉動作時における接触音を抑え、品位向上を図った記録再生装置を提供することができる。
【００１５】
本発明の請求項２の開閉扉を備えた記録再生装置によれば、請求項１の記載において、前記付勢された開閉扉を、前記開口部を閉鎖する位置に停止するストッパーを前記筐体に設けたので、開閉扉の開閉動作時における接触音を抑えるのに加え、埃の進入を防止できる。
【００１６】
本発明の請求項３の開閉扉を備えた記録再生装置によれば、請求項１又は２の記載において、前記開閉扉に突状の回転軸を設け、この回転軸を前記筐体に形成した凹部に着脱自在に軸支したので、曲面状部を形成した開閉扉に簡単に交換できるので、従来のように、別途接触音を抑える為に緩衝材等の比較的高価な部品を増やす必要が無く、コストを安価に抑えた記録再生装置を提供することが可能となる。
【００１７】
本発明の請求項４の開閉扉を備えた記録再生装置によれば、請求項１〜３の何れか１項の記載において、前記付勢手段はコイルスプリングであり、このコイルスプリングは金属線を螺旋状に巻いたもので安価であるから、低コスト化を図った記録再生装置を提供することが可能となる。
【発明を実施するための最良の形態】
【００１８】
以下、本発明を実施するための最良の形態としての実施例を図１〜図６に基づき以下に説明する。もちろん、本発明は、その発明の趣旨に反しない範囲で、実施例において説明した以外の構成のものに対しても容易に適用可能なことは説明を要するまでもない。
【００１９】
図１は本発明の一例を示す開閉扉を備えた記録再生装置を示す斜視図、図２は開閉扉を備えた記録再生装置の前部に設けた開閉扉を示す斜視図、図３は開閉扉の閉じた状態を示す開閉扉を備えた記録再生装置の側面断面図、図４は開閉扉にトレイの先端部が当接して開閉扉を僅かに押し開いた状態を示す開閉扉を備えた記録再生装置の側面断面図、図５は開閉扉にトレイの先端部が当接して開閉扉を押し開いている状態を示す開閉扉を備えた記録再生装置の側面断面図、図６はトレイの底面に開閉扉が当接した状態でトレイを搬出している状態を示す開閉扉を備えた記録再生装置の側面断面図である。
【００２０】
図１〜図６に示すように、開閉扉を備えた記録再生装置（以下、単に記録再生装置と称す）１は、ＤＶＤなどの光ディスクを記録及び／又は再生可能なものであり、フロントパネル２とリアキャビネット３からなる筐体４により全体がほぼ箱型に形成されている。また、フロントパネル２の前部には開口部５を形成し、開閉扉７の両側部に形成した突状の回転軸８がフロントパネル２に形成した凹部９に軸支され、開閉扉７が開口部５を閉鎖するようにフロントパネル２に回動自在に枢支され、また、開閉扉７の背面部分には波状の曲面状部１５が形成されている。
【００２１】
また、開閉扉７の下部には、付勢手段としての螺旋状であって金属性のコイルスプリング１０の一方の端部が係止されると共にこの一方の端部の反対側に位置する他方の端部をフロントパネル２の突出部２ａに係止し、開閉扉７の上部はフロントパネル２に一体に形成したストッパー１１にコイルスプリング１０により押し当てられており、このコイルスプリング１０は開口部５を閉鎖する方向に付勢している。
【００２２】
２０は光ディスクを格納する記録再生ユニットであり、この記録再生ユニット２０には光ディスクを載置してフロントパネル２に形成した開口部５の内外に図示しない駆動機構により往復搬送するトレイ２１を備えており、図３に示すように、トレイ２１が僅かに前進して、このトレイ２１の先端部２２が前記曲面状部１５に当接した状態から、図４〜６の順に示すように、スプリングの付勢力に抗してトレイ２１が搬出されるに従って開閉扉７を押し開く。なお、こうしたトレイ２１を搬出している状態、或いはトレイ２１を搬入している状態にある時は、何れにおいても曲面状部１５にトレイ２１の先端部２２が接触した状態を維持しながら移動するので、トレイ２１が筐体４の内側から開口部５を介して外側へと搬出する際には、その先端部２２が開閉扉７の背面部に形成した曲面状部１５に当接してからこの曲面状部１５に沿ってトレイ２１の底面側へと移動するまでの接触音を抑えることができ、一方、トレイ２１が筐体４の外側から開口部５を介して内側へと搬入する際には、開閉扉７とストッパー１１とが可能な限り近づくまで、トレイ２１の先端部２２が開閉扉７の曲面状部１５に沿って接触した状態を維持しながら移動する為、開閉扉７とストッパー１１との接触音を抑えることができる。従って、開閉扉７の開閉動作時における接触音を抑えることができることから、記録再生装置１の品位向上を図ることができる。
【００２３】
また、従来から用いられている背面が平面状の開閉扉に、背面に曲面状部１５を形成した開閉扉７に形状変更や取り替えることにより、簡単に接触音を抑えることができる為、別途接触音を抑える為に緩衝材等の比較的高価な部品を増やす必要が無く、記録再生装置１のコストを安価に抑えることが可能となる。
【００２４】
以上のように本発明の一例によれば、開閉扉７を押し開くトレイ２１の先端部２２が当接される開閉扉７の背面部分に曲面状部１５を形成し、トレイ２１の搬送時に曲面状部１５に沿ってトレイ２１の先端部２２が当接しながら移動するから、トレイ２１が付勢手段の付勢力に抗して筐体４の内側から開口部５を介して外側へと搬出される際に、トレイ２１の先端部２２が開閉扉７の曲面状部１５に当接された状態を維持しながら開閉扉７を押し開くので、曲面状部１５と当接されるトレイ２１の先端部２２が、曲面状部１５に沿って上側からトレイ２１の底面側に移動するまでの接触音を抑えることができる。また、トレイ２１が筐体４の外側から開口部５を介して内側へと搬入する際に、開閉扉７が開口部５を閉鎖する直前まで、トレイ２１の先端部２２が開閉扉７の曲面状部１５に沿って接触した状態を維持しながら移動する為、開閉扉７とストッパー１１との接触音を抑えることができる。つまり、トレイ２１の先端部２２が波状の曲面状部１５に接触すると、その接触状態を維持しながら移動するので、開閉扉７の開閉動作時における接触音を抑え、記録再生装置１の品位向上を図ることができる。なお、トレイ２１の先端部２２と接触する開閉扉７の曲面状部１５の形状を波状にしたことから、トレイ２１が搬出入する際の開閉扉７とトレイ２１との当接されている時間を長くとることができ、こうした当接状態を維持することで、トレイ２１と開閉扉７とが接触する接触音をできるだけ抑えることが可能となる。
【００２５】
さらに、付勢された開閉扉７を、開口部５を閉鎖する位置に停止するストッパー１１を筐体４に設けたので、開口部５を閉鎖する方向に付勢されている開閉扉７が、付勢手段により筐体４内に入り込もうとするが、ストッパー１１により開口部５を閉鎖する位置に確実に停止させ、開口部５からの埃の進入を防止できる。
【００２６】
しかも、筐体４に形成した凹部９に、開閉扉７に設けた突状の回転軸８を着脱自在に軸支できるので、従前の背面が平面状の一般的な開閉扉に代えて、背面に曲面状部１５を形成した開閉扉７に簡単に交換することができる。従って、従来のように、別途接触音を抑える為に緩衝材等の比較的高価な部品を増やす必要が無く、記録再生装置１のコストを安価に抑えることが可能となる。
【００２７】
さらに、付勢手段として金属線を螺旋状に巻いたコイルスプリング１０を用いるから、こうした汎用部品として量産されている安価なコイルスプリング１０を利用することにより、低コストを図ることが可能となる。また、コイルスプリング１０は金属線であるから、その端部を引っ掛けるなどして簡単に取り付けでき、開口部５を閉鎖する方向に開閉扉７を容易に付勢することが可能となる。
【００２８】
以上、本発明の一実施例を詳述したが、前記実施例に限定されるものではなく、例えば、筐体４に、凹部９に代えて回転軸に相等する軸部を形成すると共に、開閉扉７に回転軸８に代えて凹部を形成することにより、筐体４に対し開閉扉７を回動自在に枢支する構造にしてもよく、本発明の要旨の範囲内で種々の変形実施することも可能である。
【図面の簡単な説明】
【００２９】
【図１】本発明の一例を示す記録再生装置を示す斜視図である。
【図２】同上、記録再生装置の前部に設けられる開閉扉を示す斜視図である。
【図３】同上、開閉扉を閉じた状態を示す記録再生装置の側面断面図である。
【図４】同上、開閉扉にトレイの先端部が当接して開閉扉を僅かに押し開いた状態を示す記録再生装置の側面断面図である。
【図５】同上、開閉扉にトレイの先端部が当接して開閉扉を押し開いている状態を示す記録再生装置の側面断面図である。
【図６】同上、トレイの底面に開閉扉が当接した状態でトレイを搬出している状態を示す記録再生装置の側面断面図である。
【符号の説明】
【００３０】
１  記録再生装置
４  筐体
５  開口部
７  開閉扉
８  回転軸
９  凹部
１０  コイルスプリング（付勢手段）
１１  ストッパー
１５  曲面状部
２１  トレイ
２２  先端部
【図１】
2006244531.tif 000003
【図２】
2006244531.tif 000004
【図３】
2006244531.tif 000005
【図４】
2006244531.tif 000006
【図５】
2006244531.tif 000007
【図６】
2006244531.tif 000008